【事件の表示】
　特願２０１７−５２２４２０「姿勢改善機器、システム及び方法」拒絶査定不服審判事件〔平成２８年　４月２８日国際公開、ＷＯ２０１６／０６４９０５、平成２９年１０月２６日国内公表、特表２０１７−５３１５３２〕について、次のとおり審決する。
【結　論】
　本件審判の請求は、成り立たない。
【理　由】
第１　手続の経緯
　本願は、２０１５（平成２７年）１０月２０日（パリ条約による優先権主張　２０１４年１０月２１日　米国、２０１５年１０月２０日　米国）を国際出願日とする出願であって、平成３１年４月１日付けで拒絶理由が通知され、令和元年６月２８日付けで意見書及び手続補正書が提出され、同年８月２９日付けで拒絶査定されたところ、令和２年１月６日に拒絶査定不服審判の請求がなされたものである。
第２　本願発明
　本願の請求項１〜８に係る発明は、令和元年６月２８日付けの手続補正書により補正された特許請求の範囲の請求項１〜８に記載された事項により特定される以下のとおりのものである。
「【請求項１】
　センサ装置と、
　姿勢改善システムインタフェースを含む姿勢改善ソフトウェアプログラムと、
　１つ以上のユーザー装置と、
を備え、
　前記センサ装置がユーザーと物理的に関連づけられるように構成され、
　前記センサ装置が前記姿勢改善ソフトウェアプログラムと通信し、
　前記センサ装置が１つ以上のセンサを備え、
　前記１つ以上のセンサが、前記センサ装置が前記ユーザーと物理的に関連づけられると、前記ユーザーの体勢及び前記ユーザーの１つ以上の動作を監視し、
　前記姿勢改善ソフトウェアプログラムが、前記１つ以上のユーザー装置上で作動するように構成され、
　前記姿勢改善システムインタフェースが、前記１つ以上のユーザー装置上で前記ユーザーに表示され、
　前記姿勢改善ソフトウェアプログラムが、前記ユーザーに関する情報を収集するように構成され、
　前記姿勢を改善するシステムが、前記センサ装置によって通信されるデータ、及び前記ユーザーに関する収集された前記情報に基づいて、前記ユーザーの１つ以上の最適姿勢維持位を推定し、
　前記姿勢を改善するシステムが、前記１つ以上の最適姿勢維持位のうちの少なくとも１つと前記ユーザーとの適合性を監視し、
　前記姿勢を改善するシステムが、前記姿勢改善システムインタフェース上に前記適合性を表示し、
　前記姿勢改善システムが、前記ユーザーに前記１つ以上の最適姿勢維持位のうちの前記少なくとも１つを維持することを注意喚起するように、１つ以上の不適合性を検出し、該１つ以上の不適合性を前記ユーザーに通知し、
　前記１つ以上の最適姿勢維持位のうちの前記少なくとも１つと前記ユーザーとの前記適合性の前記表示が、標的及び姿勢標的ボールによって示される、
姿勢を改善するシステム。
【請求項２】
　前記ユーザーが前記１つ以上の最適姿勢維持位のうちの前記少なくとも１つと適合する場合、前記姿勢標的ボールが実質的に前記標的の中心内にある、請求項１に記載の姿勢を改善するシステム。
【請求項３】
　前記ユーザーが前記１つ以上の最適姿勢維持位のうちの前記少なくとも１つを維持できなかった場合、前記姿勢標的ボールが実質的に前記標的の中心内になく、前記姿勢改善システムインタフェースが前記１つ以上の不適合性を前記ユーザーに通知する、請求項２に記載の姿勢を改善するシステム。
【請求項４】
　前記ユーザーが前記１つ以上の最適姿勢維持位のうちの前記少なくとも１つを維持できなかった場合、前記ユーザーが前記不適合性を修正するまで、前記ユーザー装置が実質的に使用不能である、請求項３に記載の姿勢を改善するシステム。
【請求項５】
　前記姿勢改善ソフトウェアプログラムが、さらに、活動通知を含む、請求項１に記載の姿勢を改善するシステム。
【請求項６】
　前記活動通知が、前記標的姿勢ボールが前記標的の推奨通路に沿って移動するように、前記ユーザーに身体を動かすことを要求する、請求項５に記載の姿勢を改善するシステム。
【請求項７】
　センサ装置と、
　姿勢改善システムインタフェースを含む姿勢改善ソフトウェアプログラムと、
　１つ以上のユーザー装置と、
を備え、
　前記センサ装置がユーザーと物理的に関連づけられるように構成され、
　前記センサ装置が前記姿勢改善ソフトウェアプログラムと通信し、
　前記センサ装置が１つ以上のセンサを備え、
　前記１つ以上のセンサが、前記センサ装置が前記ユーザーと物理的に関連づけられると、前記ユーザーの体勢及び前記ユーザーの１つ以上の動作を監視し、
　前記姿勢改善ソフトウェアプログラムが、前記１つ以上のユーザー装置上で作動するように構成され、
　前記姿勢改善システムインタフェースが、前記１つ以上のユーザー装置上で前記ユーザーに表示され、
　前記姿勢改善ソフトウェアプログラムが、前記ユーザーに関する情報を収集するように構成され、
　前記姿勢を改善するシステムが、前記センサ装置によって通信されるデータ、及び前記ユーザーに関する収集された前記情報に基づいて、前記ユーザーの１つ以上の最適姿勢維持位を推定し、
　前記姿勢を改善するシステムが、前記１つ以上の最適姿勢維持位のうちの少なくとも１つと前記ユーザーとの適合性を監視し、
　前記姿勢を改善するシステムが、前記姿勢改善システムインタフェース上に前記適合性を表示し、
　前記姿勢改善システムが、前記ユーザーに前記１つ以上の最適姿勢維持位のうちの前記少なくとも１つを維持することを注意喚起するように、１つ以上の不適合性を検出し、該１つ以上の不適合性を前記ユーザーに通知し、
　前記姿勢改善ソフトウェアシステムが調整プログラムを含み、
　前記調整プログラムが、前記ユーザーの姿勢動作に基づいた間隔プログラムを提案し、
　前記調整プログラムが前記ユーザーに自身の前記姿勢動作に関する洞察を提供する、
姿勢を改善するシステム。
【請求項８】
　センサ装置と、
　姿勢改善システムインタフェースを含む姿勢改善ソフトウェアプログラムと、
　１つ以上のユーザー装置と、
を備え、
　前記センサ装置がユーザーと物理的に関連づけられるように構成され、
　前記センサ装置が前記姿勢改善ソフトウェアプログラムと通信し、
　前記センサ装置が１つ以上のセンサを備え、
　前記１つ以上のセンサが、前記センサ装置が前記ユーザーと物理的に関連づけられると、前記ユーザーの体勢及び前記ユーザーの１つ以上の動作を監視し、
　前記姿勢改善ソフトウェアプログラムが、前記１つ以上のユーザー装置上で作動するように構成され、
　前記姿勢改善システムインタフェースが、前記１つ以上のユーザー装置上で前記ユーザーに表示され、
　前記姿勢改善ソフトウェアプログラムが、前記ユーザーに関する情報を収集するように構成され、
　前記姿勢を改善するシステムが、前記センサ装置によって通信されるデータ、及び前記ユーザーに関する収集された前記情報に基づいて、前記ユーザーの１つ以上の最適姿勢維持位を推定し、
　前記姿勢を改善するシステムが、前記１つ以上の最適姿勢維持位のうちの少なくとも１つと前記ユーザーとの適合性を監視し、
　前記姿勢を改善するシステムが、前記姿勢改善システムインタフェース上に前記適合性を表示し、
　前記姿勢改善システムが、前記ユーザーに前記１つ以上の最適姿勢維持位のうちの前記少なくとも１つを維持することを注意喚起するように、１つ以上の不適合性を検出し、該１つ以上の不適合性を前記ユーザーに通知し、
　前記１つ以上の不適合性の前記通知の感度が調節可能である、
姿勢を改善するシステム。」
第３　原査定の拒絶の理由
　原査定の拒絶の理由は、
（１）この出願の請求項７に係る発明は、本願の優先権主張の日前に頒布された又は電気通信回線を通じて公衆に利用可能となった下記の引用文献２に記載された発明であるから、特許法第２９条第１項第３号に該当し、特許を受けることができない、
（２）この出願の請求項８に係る発明は、本願の優先権主張の日前に頒布された又は電気通信回線を通じて公衆に利用可能となった下記の引用文献１に記載された発明であるから、特許法第２９条第１項第３号に該当し、特許を受けることができない、
（３）この出願の請求項１ないし８に係る発明は、本願の優先権主張の日前に頒布された又は電気通信回線を通じて公衆に利用可能となった下記の引用文献１ないし６に記載された発明に基づいて、その出願前にその発明の属する技術の分野における通常の知識を有する者が容易に発明をすることができたものであるから、特許法第２９条第２項の規定により特許を受けることができない、
というものである。
引用文献１：米国特許出願公開第２０１３／０１８４６１１号明細書
引用文献２：米国特許出願公開第２０１３／０２０７８８９号明細書
引用文献３：特開２０１１−２５０９１５号公報
引用文献４：特開２０１０−１７２５３７号公報
引用文献５：米国特許出願公開第２０１１／０２１２８１０号明細書
引用文献６：米国特許出願公開第２０１４／００６６８１１号明細書
　以下、特許法第２９条第１項第３号に該当し、特許を受けることができないとされた請求項８に係る発明（以下、「本願発明」という。）について検討する。
第４　引用文献の記載及び引用発明
１　引用文献１に記載されている事項
　引用文献１には、以下の事項が記載されている（和訳は当審にて作成した。また、下線は当審にて付した。）。
（引１ａ）「[0002] The novel technology relates generally to the field of personal health and self-improvement, and, more specifically, to a biofeedback system, which may include a related software system, for training people to achieve better posture and other body position goals.」
（和訳）「[0002] 
この新規な技術は、
より良好な姿勢および他の身体位置の目標を達成するために人々を訓練するための
バイオフィードバックシステム、に関する。
（引１ｂ）「[0013] FIG. 1 is a schematic diagram of a biofeedback system (1) of a first embodiment of the present novel technology.
・・・
[0016] FIG. 3 is a Schematic Representation of Biofeedback System of FIG. 1. FIG. 4A graphically illustrates sample screenshots for portions of the System of FIG. 1.
[0017] FIG. 4B graphically illustrates sample screenshots for portions of the System of FIG. 1.
・・・
[0020] FIG. 6A graphically illustrates sample screenshots for portions of the System of FIG. 1.」
（和訳）「[0013] 図1は、本新規技術の第1の実施の形態のバイオフィードバックシステム(1)の概略図である。
・・・
[0016] 図3は、図1のバイオフィードバックシステムの概略図である。図4Aは、図1のシステムの一部についてのサンプルスクリーンショットを図示する。
[0017] 図4Bは、図1のシステムの一部についてのサンプルスクリーンショットを図示する。
・・・
[0020] 図6Aは、図1のシステムの一部についてのサンプルスクリーンショットを図示する。」
（引１ｃ）「[0027] FIG. 1 diagrams the biofeedback system (1) and its component devices and representative parts of the body monitored for positional changes. The biofeedback system (1) includes one or more ‘Sensor’/transceiver biofeedback devices (101) (each a Sensor) programmed to detect changes in posture and body position through an internal gyroscope and/or based on wireless measurement of the distance between another Sensor. Each Sensor has a built-in vibration and/or sound device activated by changes in body position. Such changes are also wirelessly communicated to a remote ‘Controller’/transceiver biofeedback device (301) (Controller) that also has built-in sound and/or vibration devices. The Controller (301) may be a specially-made transceiver device, or a conventional, programmable device on which the biofeedback system software (401) may be installed (e.g. smart-phone, handheld computer, PDA, PC, etc.). The Controller maintains a communication link (201) with each Sensor via Bluetooth, infrared, radio frequency or other technologies. The Sensors (101) are attached to or worn on a person's body (or on clothing or accessories) through adhesion, straps, hair and other clips, bindings and other mechanisms (113). For certain embodiments of the system (5), the system software (Biofeedback System Software) (401) is installed on the Controller (301), which displays on an internal screen or external monitor real-time body position information based on communication from one or more Sensors.
・・・
[0042] Also as shown in FIG. 2, the Controller (301) may be a specially-made transceiver device, or a conventional device on which the biofeedback software Program (401) may be installed (e.g., smart-phone, PDA or computer), in either case that would include a housing, circuitry and other components that may include all or some of the following:
[0043] (i) An internal display screen or external monitor (302) enabling a user to view menu options, obtain information about and program the Sensors (101).
[0044] (ii) User Interface (303) comprised of a keyboard, keypad, touchscreen, etc. to let user enter data and perform programming functions. 
・・・
[0053] (xi) Programs and operating systems (312) to enable the biofeedback system software and application (401) to be installed and run on the Controller (301), which software and application may be configured as computer readable program code and stored in the device's memory (304).
[0054] FIG. 3 illustrates a first embodiment of the present, novel biofeedback system (1, 5) for training users to attain and maintain targeted posture and/or other positions for different parts of the body. The training is provided through signals (i.e., vibration, sound and/or visual alarms and alerts) transmitted to a user and activated by measured changes in posture and position. Those signals are provided by one or more ‘Sensor’/transceiver biofeedback devices (101) and in some embodiments a ‘Controller’/transceiver biofeedback device (301). Each Sensor (101) is directly or indirectly (i.e., through clothes or accessories) attached to or worn on a specific part of a user's body (FIGS. 501-505). Those parts of the body are selected based on certain activities the user engages in where biofeedback information and/or training can enhance appearance, performance, health or safety. Selected activities may be as simple as standing or sitting with head held high and back erect (501 and 504); or as complicated as skiing with legs shoulder-width apart, knees bent at a 50 degree angle, and hips centered over the ball of the feet (505); or as critical as keeping a head up and staying awake while driving (503).
[0055] The Sensor detects and activates an alarm when a user attains or deviates from a targeted posture or position by gyroscopically measuring changes in the user's horizontal and/or vertical fields, and/or by wirelessly measuring distances between two or more of such devices. For example, if one Sensor is attached to a user's right shoulder, and a second is attached to a user's left shoulder, the Controller sets a target position when both shoulders are arched backward. The coordinates for that target position are represented by either or both (x) the distance between the devices and/or (y) the horizontal/vertical planes of each device. If the user slouches forward, the targeted distance is exceeded and planes change; either of which activates an alarm.
[0056] Biofeedback information and training is provided via the alarms from the Sensors (101) and in certain embodiments from the Controller (301). Those alarms are activated when either (x) the user deviates from a pre-set position or posture (506) (which can be adjusted with tolerances so that a deviation must be more than a pre-set degree and/or for more than a pre-set period of time (507) before the alarm is activated); or (y) the user achieves a pre-set, targeted position or posture (506). The devices are programmed so that the alarm will continue until a deviation is corrected.
・・・
[0058] FIG. 4 illustrates one embodiment of a menu system of, and other screen shots for, the biofeedback system (5) that utilizes a device on which the biofeedback system software (401) has been installed (e.g., smart-phone, PDA, PC, laptop, etc.). FIG. 4 also illustrates certain functionalities of the system (5), and the “look and feel” of the biofeedback system software and application (401).
・・・
[0062] The Device Manager screen/page (604) provides various programming functions to manage system devices. Users can set parameters for the Sensors (101) and the Controller (301). Those parameters include (i) activating audible alarms in Sensors and the Controller, (ii) selecting a specific audible sound for each Sensor, (iii) activating a vibration alarm in the Controller, (iv) setting permitted deviations from targeted positions, (v) designating the period of time a deviation in position may be permitted to continue before an alarm is activated in a Sensor, (vi) assigning a number to each Sensor, and (vii) associating each Sensor with a specific part or area of the user's body.
[0063] The Posture  Position screen/page (605) allows users to program targeted positions and postures for Sensors (101). From this screen, a user can select a prescribed activity (e.g., standing, sitting, driving, skiing, etc.) which then opens a body avatar on which the user can virtually place one or more Sensors. With a Sensor attached to the user's body, he or she can then change positions in order to create a targeted posture or pose that can be saved. This page/screen also illustrates permitted deviations from targeted positions. Once a targeted position has been saved, the user can proceed to a biofeedback session, and will be “trained” by receiving vibration and/or sound and visual alarms/alerts whenever he or she deviates from, or achieves, that target.
[0064] The Biofeedback Alerts screen/page (606) provides additional biofeedback information to users. Unless de-activated by a user for an activity, the screen automatically opens each time an alarm is activated by one or more Sensors (101). The screen provides real-time notifications and visual displays of deviations from, or attainment of, targeted postures or positions.
・・・
[0066] The Progress Chart screen/page (608) provides historical and real time data to a user about progress in reaching and maintaining targeted posture or position goals. From this screen/page, a user can select the activity he or she wishes to monitor, and can view a graphic representation of progress in relation to the established target for that activity.」
（和訳）「[0027] 図1は、バイオフィードバックシステム(1)と、そのコンポーネント装置と、位置変化に対して監視される代表的な身体部位を示す。
バイオフィードバックシステム(1)は、1つ以上の「センサ」/トランシーババイオフィードバック装置(101)(各々がセンサである)であって、内部ジャイロスコープを介して、
姿勢及び体の位置変化を検出するようにプログラムされる装置を含むものである。
そのような変化もまた、遠隔「コントローラ」/トランシーババイオフィードバック装置(301)(コントローラ)に無線送信され、
コントローラ(301)は、
バイオフィードバックシステムソフトウェア(401)がインストールされた従来のプログラマブルデバイス(例えば、スマートフォン、ハンドヘルドコンピュータ、PDA、PC等)であってもよい。コントローラは、
各センサとの通信リンク(201)を維持する。センサ(101)は、
人の体
装着される。
・・・
[0042]また、図2に示すように、
コントローラ(301)は、
バイオフィードバックソフトウェアプログラム(401)がインストールされていてもよい従来の装置(例えば、スマートフォン、PDAまたはコンピュータ)であってもよく、
次のすべてまたはいくつかを含んでいてもよい他の構成要素を含む：
[0043](i)
ユーザーがメニューオプションを見ること、センサ(101)に関する情報を取得すること、センサをプログラムすることを可能にする内部表示画面
[0044](ii)ユーザーにデータを入力させ、プログラミング機能を実行させるためのキーボード、キーパッド、タッチスクリーンなどからなるユーザーインターフェース(303)。
・・・
[0053](xi)コンピュータ可読プログラムコードとして構成されデバイスのメモリ(304)に格納され得るバイオフィードバックシステムソフトウェアおよびアプリケーション(401)をコントローラ(301)上でインストールおよび実行することを可能とする、プログラムおよびオペレーティングシステム(312)。
[0054] 図3は、身体の異なる部分にとって目標の姿勢及び/又は位置を達成及び維持するためにユーザーをトレーニングする、新規なバイオフィードバックシステム(1, 5)の第1実施形態を示す図である。トレーニングは、ユーザーへ送信され、姿勢及び位置の測定された変化により活性化される
信号
視覚的なアラーム及びアラート
これらの信号は、
「コントローラ」/トランシーババイオフィードバック装置(301)によって提供される。各センサ(101)は、
ユーザーの身体の特定の部分
に取り付けられるかまたは装着される。
[0055] 
センサは、ユーザーの水平方向および/または垂直方向の場の変化をジャイロスコープ的に測定することによって、
ユーザーが目標姿勢または目標位置を達成、または目標姿勢または目標位置から逸脱すると、アラームを
起動する。
[0056] バイオフィードバック情報およびトレーニングは、センサ(101)からのアラームを介して、また特定の実施形態ではコントローラ(301)からのアラームを介して提供される。これらの
アラームは、(x)ユーザーが予め設定された位置または姿勢(506)から逸脱したとき(これは、逸脱が予め設定された度合いよりも大きくなって、および/または、逸脱が予め設定された期間(507)よりも長くなってアラームが起動されるように、許容誤差で調整できる。
に起動される。
・・・
[0058] 
図4は、本発明のメニューシステムと、バイオフィードバックシステムソフトウェア(401)がインストールされている装置
を利用したバイオフィードバックシステム(5)のメニューシステムの一実施形態及びその他のスクリーンショットを示す図である。
・・・
[0062] 
デバイスマネージャ画面/ページ(604)は、システムデバイスを管理するための様々なプログラミング機能を提供する。ユーザーは、センサ(101)およびコントローラ(301)のパラメータを設定することができる。これらのパラメータは以下のものを含む。
(iv)目標位置からの許容逸脱を設定すること、(v)センサにてアラームが起動されるまでの、許容される位置の逸脱の継続期間を指定すること
[0063] 
姿勢及び位置画面/ページ(605)は、ユーザーがセンサ(101)の目標位置及び姿勢をプログラムすることを可能にする。この画面から、ユーザーは、所定のアクティビティ(例えば、起立、着座、運転、スキーなど)を選択することができ、その後、ユーザーは、一つ以上のセンサを仮想的に配置することができる身体アバターを開く。ユーザーの身体に取り付けられたセンサを用いて、ユーザーは、セーブ可能な目標姿勢またはポーズを作成するために位置を変更することができる。
視覚アラーム/警告
[0064] 
バイオフィードバックアラート画面/ページ(606)は、ユーザーに追加のバイオフィードバック情報を提供する。
画面は、アラームが一つ以上のセンサ(101)によって起動されるたびに自動的に開く。画面は、目標姿勢又は目標位置からの逸脱
の、
視覚表示を提供する。
・・・
[0066] 
進捗チャート画面/ページ(608)は、目標姿勢または目標位置に到達したことおよび維持することに関して、履歴およびリアルタイムのデータをユーザーに提供する。
（引１ｄ）[図4A, 4B]
    
（引１ｅ）[図6A, 6B]
２　引用発明
（１）「メニューシステム」について
　ア　引用文献１の段落[0058]の記載及び図4A,4Bからは、「バイオフィードバックシステムソフトウェア(401)」がインストールされている「装置」に表示されている「メニューシステム」が、「Sensor Manager」（和訳：センサ管理）、「Posture  Position Settings」（和訳：姿勢及び位置セッティング）、「Biofeedback Alerts」（和訳：バイオフィードバックアラート）、「Progress Chart」（和訳：進捗チャート）という項目を含むことが認められる。
　イ　引用文献１の段落[0042]の「コントローラ(301)は、・・・バイオフィードバックソフトウェアプログラム(401)がインストールされていてもよい従来の装置(例えば、スマートフォン、PDAまたはコンピュータ)であってもよ」い、という記載に鑑みれば、上記アにおける「バイオフィードバックシステムソフトウェア(401)」がインストールされている「装置」は「コントローラ(301)」であると認められる。また、同段落には、「コントローラ(301)」が「ユーザーがメニューオプションを見ること、センサ(101)に関する情報を取得すること、センサをプログラムすることを可能にする内部表示画面」を有することが記載されている。
　ウ　引用文献１の段落[0062]〜[0064]、[0066]の記載における「デバイスマネージャ画面/ページ(604)」、「姿勢及び位置画面/ページ(605)」、「バイオフィードバックアラート画面/ページ(606)」、及び「進捗チャート画面/ページ(608)」は、図4A,4Bに開示されている「メニューシステム」から遷移できる画面またはページである。
　そうすると、上記ア、イを踏まえれば、「デバイスマネージャ画面/ページ(604)」、「姿勢及び位置画面/ページ(605)」、「バイオフィードバックアラート画面/ページ(606)」、及び「進捗チャート画面/ページ(608)」は、「バイオフィードバックシステムソフトウェア(401)」がインストールされている「コントローラ(301)」の「内部表示画面」に表示されるものと認められる。また、「デバイスマネージャ画面/ページ(604)」、「姿勢及び位置画面/ページ(605)」、「バイオフィードバックアラート画面/ページ(606)」、及び「進捗チャート画面/ページ(608)」は、「バイオフィードバックシステムソフトウェア(401)」により表示が行われるものと認められる。
（２）上記（引１ｂ）において、図３，４Ａ，４Ｂ，６Ａが全て図１に開示の「第1の実施の形態のバイオフィードバックシステム(1)」を示した図であることに鑑みれば、上記（引１ｃ）の摘記は、引用文献１において１つの実施形態として記載されているものと認められる。
（３）上記（１），（２）を踏まえると、上記引用文献１には、以下の発明（以下「引用発明」という。）が記載されていると認められる。
「センサ(101)と、
　バイオフィードバックシステムソフトウェア(401)がインストールされたプログラマブルデバイスであるコントローラ(301)と、
　を含み、
　センサ(101)がユーザーの身体に取り付けられ、
　センサ(101)がコントローラ(301)と通信し、
　センサ(101)はユーザーの水平方向および/または垂直方向の場の変化をジャイロスコープ的に測定し、ユーザーが目標姿勢または目標位置を達成、または目標姿勢または目標位置から逸脱すると、アラームを起動し、
　コントローラ(301)は内部表示画面を含み、
　バイオフィードバックシステムソフトウェア(401)は内部表示画面にデバイスマネージャ画面/ページ(604)、姿勢及び位置画面/ページ(605)、バイオフィードバックアラート画面/ページ(606)、及び進捗チャート画面/ページ(608)を表示させ、
　デバイスマネージャ画面/ページ(604)では、目標位置からの許容逸脱を設定すること、及び、センサにてアラームが起動されるまでの許容される位置の逸脱の継続期間を指定することを含む、センサ(101)およびコントローラ(301)のパラメータをユーザーが設定することができ、
　姿勢及び位置画面/ページ(605)にてユーザーが所定のアクティビティを選択することができ、その後、ユーザーは、ユーザーの身体に取り付けられたセンサを用いて、セーブ可能な目標姿勢またはポーズを作成するために位置を変更することができ、
　バイオフィードバックアラート画面/ページ(606)は、アラームが起動されるたびに開き、画面は、目標姿勢又は目標位置からの逸脱の視覚表示を提供し、
　進捗チャート画面/ページ(608)は、目標姿勢または目標位置に到達したことおよび維持することに関して、履歴およびリアルタイムのデータをユーザーに提供する、
バイオフィードバックシステム(1)。」
第５　対比
１　「センサ装置」について
（１）引用発明の「センサ(101)」は、本願発明の「センサ装置」に相当する。
（２）引用発明における「センサ(101)」が「ユーザーの身体に取り付けられ」ることは、本願発明の「センサ装置がユーザーと物理的に関連づけられるように構成され」ることに相当する。
（３）引用発明の「センサ(101)」は、「コントローラ(301)」と通信する。
（４）引用発明の「センサ(101)」は、「ユーザーの水平方向および/または垂直方向の場の変化をジャイロスコープ的に測定」するから、少なくとも１つのジャイロスコープセンサを有しているといえ、そのため「１つ以上のセンサを備え」ていると認められる。
（５）引用発明の「センサ(101)」は、「ユーザーの水平方向および/または垂直方向の場の変化をジャイロスコープ的に測定し、ユーザーが目標姿勢を達成または目標姿勢から逸脱すると、アラームを起動」する。ここで、「ジャイロスコープ的に測定」した「ユーザーの水平方向および/または垂直方向の場の変化」はユーザーの「体勢」及び「動作」の変化によって生じるといえる。そして、ユーザーの姿勢が目標姿勢から逸脱しているかに応じてアラームが起動されることから、ユーザーの「体勢」及び「動作」が「監視」されているといえる。また、上記「監視」は、「センサ(101)」が「ユーザーの身体に取り付けられ」てから行われているといえる。
　すなわち、引用発明における「センサ(101)」が「ユーザーの水平方向および/または垂直方向の場の変化をジャイロスコープ的に測定し、ユーザーが目標姿勢を達成または目標姿勢から逸脱すると、アラームを起動」することは、本願発明の「１つ以上のセンサが、前記センサ装置が前記ユーザーと物理的に関連づけられると、前記ユーザーの体勢及び前記ユーザーの１つ以上の動作を監視」することに相当する。
２　引用発明の「コントローラ(301)」は、本願発明の「ユーザー装置」に相当する。
３　引用発明の「目標姿勢」は、ユーザーが目標とする姿勢であるから、本願発明の「最適姿勢維持位」に相当する。
４　引用発明の「バイオフィードバックシステム(1)」は、「ユーザー」の姿勢について、姿勢が目標姿勢となるようにフィードバックを行うものであるから、本願発明の「姿勢を改善するシステム」に相当する。
５　「姿勢改善システムインタフェース」について
（１）引用発明の「進捗チャート画面/ページ(608)」は、「目標姿勢」に「到達したことおよび維持することに関して、履歴およびリアルタイムのデータをユーザーに提供する」ものであるところ、この「提供」は「表示」という形式で行われる。また、「目標姿勢」に「到達したことおよび維持すること」は、本願発明における「最適姿勢維持位」と「ユーザー」との「適合性」に相当する。
　そうすると、引用発明の「進捗チャート画面/ページ(608)」が本願発明の「姿勢改善システムインタフェース」に相当し、引用発明の「進捗チャート画面/ページ(608)」が「目標姿勢」に「到達したことおよび維持することに関して、履歴およびリアルタイムのデータをユーザーに提供する」ことが、本願発明の「姿勢改善システムインタフェース上に」「適合性を表示」することに相当する。
（２）引用発明の「進捗チャート画面/ページ(608)」は「コントローラ(301)」の「内部表示画面」に表示される。そうすると、上記２で指摘したように引用発明の「コントローラ(301)」は本願発明の「ユーザー装置」に相当するから、引用発明の「進捗チャート画面/ページ(608)」が「コントローラ(301)」の「内部表示画面」に表示されることは、本願発明の「姿勢改善システムインタフェース」が、「ユーザー装置上で」「ユーザーに表示され」ることに相当する。
６　「姿勢改善ソフトウェアプログラム」について
（１）引用発明の「進捗チャート画面/ページ(608)」は「バイオフィードバックシステムソフトウェア(401)」により表示されるものであるから、「進捗チャート画面/ページ(608)」は「バイオフィードバックシステムソフトウェア(401)」に含まれるものといえる。
　よって、引用発明の「バイオフィードバックシステムソフトウェア(401)」は、本願発明の「姿勢改善システムインタフェースを含む姿勢改善ソフトウェアプログラム」に相当する。
（２）引用発明の「バイオフィードバックシステムソフトウェア(401)」は「コントローラ(301)」にインストールされているから、「コントローラ(301)」上で作動するように構成されているといえる。そうすると、引用発明の「コントローラ(301)」は、本願発明の「ユーザー装置」に相当するから、引用発明の「バイオフィードバックシステムソフトウェア(401)」は「１つ以上のユーザー装置上で作動するように構成され」ているといえる。
（３）上記１（３）にて、引用発明の「センサ(101)」は「コントローラ(301)」と通信する、と記載したところ、引用発明の「バイオフィードバックシステムソフトウェア(401)」は「コントローラ(301)」にインストールされていることに鑑みれば、結局のところ「センサ(101)」は「バイオフィードバックシステムソフトウェア(401)」と通信しているといえる。
　すなわち、引用発明の「センサ(101)がコントローラ(301)と通信」することは、本願発明の「センサ装置」が「姿勢改善ソフトウェアプログラムと通信」することに相当する。
（４）引用発明では、「姿勢及び位置画面/ページ(605)にてユーザーが所定のアクティビティを選択することができ」るところ、「ユーザー」が「選択」した「アクティビティ」が、本願発明の「ユーザーに関する情報」に相当する。そして、「姿勢及び位置画面/ページ(605)」にて「ユーザー」が「アクティビティ」の「選択」することが可能となっていることが、本願発明の「姿勢改善ソフトウェアプログラム」が、「ユーザーに関する情報を収集するように構成され」ることに相当する。
７　引用発明では「姿勢及び位置画面/ページ(605)にてユーザーが所定のアクティビティを選択することができ、その後、ユーザーは、ユーザーの身体に取り付けられたセンサを用いて、セーブ可能な目標姿勢またはポーズを作成するために位置を変更することができ」る。
　ここで、「目標姿勢またはポーズ」はユーザーが行う「アクティビティ」の種類によって変わるものであるから、「目標姿勢またはポーズ」は「ユーザーの身体に取り付けられたセンサ」からのデータのみならず、「姿勢及び位置画面/ページ(605)」にて選択された「アクティビティ」の種類にも基づいて作成されていることは明らかである。
　そうすると、引用発明の「姿勢及び位置画面/ページ(605)にてユーザーが所定のアクティビティを選択」し、「ユーザーの身体に取り付けられたセンサを用いて、セーブ可能な目標姿勢またはポーズを作成する」ことは、本願発明の「センサ装置によって通信されるデータ」、及び「ユーザーに関する収集された」「情報」に基づいて、「ユーザーの１つ以上の最適姿勢維持位を推定」することに相当する。
８　引用発明の「センサ(101)」は、「ユーザーが目標姿勢を達成または目標姿勢から逸脱すると、アラームを起動」するところ、「ユーザー」が「目標姿勢から逸脱すると、アラームを起動」することは、本願発明の「最適姿勢維持位」と「ユーザーとの適合性を監視」することに相当する。
９　引用発明の「バイオフィードバックアラート画面/ページ(606)は、アラームが起動されるたびに開き、画面は、目標姿勢又は目標位置からの逸脱の視覚表示を提供」することについて、「アラーム」は「ユーザー」が「目標姿勢から逸脱」することで起動されるから、「最適姿勢維持位を維持することを注意喚起する」ために起動されるものであり、また、「目標姿勢から逸脱」することを検知することが、本願の「不適合性」の「検出」に相当する。さらに、引用発明の「目標姿勢又は目標位置からの逸脱の視覚表示を提供」することは、本願発明の「不適合性」を「ユーザーに通知」することに相当する。
　よって、引用発明の「バイオフィードバックアラート画面/ページ(606)は、アラームが起動されるたびに開き、画面は、目標姿勢又は目標位置からの逸脱の視覚表示を提供」することは、本願発明の「ユーザーに前記１つ以上の最適姿勢維持位のうちの前記少なくとも１つを維持することを注意喚起するように、１つ以上の不適合性を検出し、該１つ以上の不適合性を前記ユーザーに通知」することに相当する。
１０　引用発明では「ユーザー」の「姿勢」または「位置」が「目標姿勢」または「目標位置」から逸脱するとアラームが起動され、「デバイスマネージャ画面/ページ(604)では、目標位置からの許容逸脱を設定すること、及び、センサにてアラームが起動されるまでの許容される位置の逸脱の継続期間を指定することを含む、センサ(101)およびコントローラ(301)のパラメータをユーザーが設定することができ」る。そうすると、この「許容逸脱」を「ユーザーが設定することができ」ることは、本願発明の「不適合性」の「通知の感度が調節可能である」ことに相当する。
第６　判断
　第５にて対比したように、本願発明と引用発明の間に差異は認められない。
第７　請求人の主張について
　請求人は令和２年２月１３日付けで提出の手続補正書（方式）の【請求の理由】（３）本願発明が特許されるべき理由や、令和２年６月８日付けで提出の上申書において、本願発明に対応する米国特許出願が米国にて特許されている旨を主張している。
　しかし、請求人は本願発明が拒絶査定において引用された各引用文献に記載された発明に対して新規性及び進歩性を有するとする具体的な理由は何ら主張していない。
　そのため、請求人の主張は採用できない。
第８　補正案について
　なお、出願人は令和２年６月８日付けの上申書において、特許請求の範囲の補正案を提示している。当該補正案に記載の特許請求の範囲のうち、独立請求項は以下に記載される請求項１，３の２つである。
「［請求項１］
　姿勢を改善するためのシステムであって：
センサ装置と；
姿勢改善システムインターフェースを含む姿勢改善ソフトウェアプログラムとを備え；
前記センサ装置は、ユーザと物理的に関連付けられるように構成され；
前記センサ装置は、１つまたはそれ以上のセンサと、無線通信装置と、ハウジングとを備え；
前記１つまたはそれ以上のセンサは、前記センサ装置が前記ユーザと物理的に関連付けられている場合、前記ユーザの物理的位置及び前記ユーザの１つまたはそれ以上の動きを監視し、
前記姿勢改善ソフトウェアプログラムは、１つまたはそれ以上のユーザ装置上で作動するように構成され；
前記無線通信装置は、前記センサ装置が前記姿勢改善ソフトウェアプログラムと通信するように、前記１つまたはそれ以上のユーザ装置と通信するように構成され；
前記姿勢改善システムインターフェースは、前記１つまたはそれ以上のユーザ装置上で前記ユーザに表示され；
前記姿勢改善ソフトウェアプログラムは、前記ユーザに関する情報を収集するように構成され；
姿勢を改善するための前記システムは、前記センサ装置によって通信されたデータ及び前記収集された前記ユーザに関する情報に基づいて、前記ユーザのための１つまたはそれ以上の最適姿勢位置を計算し；
姿勢を改善するための前記システムは、前記１つまたはそれ以上の最適姿勢位置のうちの少なくとも１つとの前記ユーザの適合性を監視し；
姿勢を改善するための前記システムは、前記姿勢改善システムインターフェース上に前記適合性を表示し；
前記姿勢改善システムは、前記ユーザは前記１つまたはそれ以上の最適姿勢位置のうちの前記少なくとも１つを維持するように注意喚起されるように前記ユーザに１つまたはそれ以上の不適合を検出及び通知し、；
前記姿勢改善システムインターフェース上に一日の時間が表示され；
前記姿勢改善システムインターフェース上に心拍数が表示され；
前記１つまたはそれ以上の最適姿勢位置のうちの少なくとも１つを有する前記ユーザの前記適合性の前記表示は、ターゲット及び姿勢ターゲットアイコンを介して図示され；
前記姿勢ターゲットアイコンは、前記ユーザが前記１つまたはそれ以上の最適姿勢位置の前記少なくとも１つに適合しているときに、前記ターゲットの中心内に実質的に存在し；
前記ユーザが、前記１つまたはそれ以上の最適姿勢位置のうちの少なくとも１つを維持しない場合、前記姿勢ターゲットアイコンは前記ターゲットの前記中心内に実質的に存在せず、前記姿勢改善システムインターフェースは、前記１つまたはそれ以上の不適合を前記ユーザに通知し；及び
前記ユーザが、前記１つまたはそれ以上の最適姿勢位置のうちの少なくとも１つを維持しない場合、前記ユーザが前記不適合を是正するまで、前記ユーザ装置は実質的に無効にされることを含む姿勢を改善するためのシステム。
［請求項３］
　姿勢及び深呼吸を改善するためのシステムであって：
センサ装置と、
姿勢及び深呼吸改善システムインターフェースを備えた姿勢及び深呼吸改善ソフトウェアプログラムとを備え、
前記センサ装置はユーザと物理的に関連付けられるように構成され；
前記センサ装置は、１つまたはそれ以上のセンサと、無線通信装置と、ハウジングとを備え；
前記１つまたはそれ以上のセンサは、前記センサ装置が前記ユーザと物理的に関連付けられている場合、前記ユーザの物理的位置及び前記ユーザの１つまたはそれ以上の動きを監視し；
前記姿勢及び深呼吸改善ソフトウェアプログラムは、１つまたはそれ以上のユーザ装置上で作動するように構成され；
前記無線通信装置は、前記センサ装置が前記姿勢及び深呼吸改善ソフトウェアプログラムと通信するように、前記１つまたはそれ以上のユーザ装置と通信するように構成され；
前記姿勢及び深呼吸改善システムインターフェースは、前記１つまたはそれ以上のユーザ装置上で前記ユーザに表示され；
前記姿勢及び深呼吸改善ソフトウェアプログラムは、前記ユーザに関する情報を収集するように構成され；
前記姿勢及び深呼吸を改善するためのシステムは、前記センサ装置によって通信されたデータ及び前記収集された前記ユーザに関する情報に基づいて、前記ユーザのための１つまたはそれ以上の最適姿勢位置を計算し；
前記姿勢及び深呼吸を改善するためのシステムは、前記１つまたはそれ以上の最適姿勢位置のうちの少なくとも１つとの前記ユーザの適合性を監視し；
前記姿勢及び深呼吸を改善するためのシステムは、前記姿勢及び深呼吸改善システムインターフェース上に前記適合性を表示し；
前記姿勢及び深呼吸改善のためのシステムは、前記ユーザは前記１つまたはそれ以上の最適姿勢位置のうちの前記少なくとも１つを維持するように注意喚起されるように前記ユーザに１つまたはそれ以上の不適合を検出及び通知し、；
前記姿勢及び深呼吸改善システムインターフェースは、１つまたはそれ以上のポップアップリマインダを前記ユーザに表示することを含み、及び
前記１つまたはそれ以上のポップアップリマインダのうちの少なくとも１つは、呼吸休憩を取ることである姿勢及び深呼吸を改善するためのシステム。」
　念のため、上記補正案についても検討する。
１　補正案の請求項１に係る発明について
　補正案の請求項１には「前記姿勢改善システムインターフェース上に一日の時間が表示され」及び「前記姿勢改善システムインターフェース上に心拍数が表示され」と記載されている。しかし、本願の国際出願日における国際特許出願の明細書若しくは図面（図面の中の説明に限る。）の翻訳文、国際出願日における国際特許出願の請求の範囲の翻訳文（以下、「翻訳文等」という。）には、「姿勢改善システムインターフェース上」に「一日の時間」や「心拍数」を表示する点は記載されていない。
　すなわち、補正案による請求項１についての補正のうち、「前記姿勢改善システムインターフェース上に一日の時間が表示され」及び「前記姿勢改善システムインターフェース上に心拍数が表示され」という記載を追加する補正は、請求項１に係る発明に新たな技術的事項を導入するものである。
　そのため、上記補正案による補正は、特許法第１７条の２第３項に規定する要件を満たしていない。
２　補正案による請求項３に係る発明について
　補正案の請求項３には「姿勢及び深呼吸を改善するためのシステム」と記載されている。しかし、本願の翻訳文等には、「システム」が「深呼吸」を「改善」する点は記載されていない。
　すなわち、補正案による請求項３についての補正のうち、「システム」が「深呼吸」を「改善」する点を追加する補正は、請求項３に係る発明に新たな技術的事項を導入するものである。
　そのため、上記補正案による補正は、特許法第１７条の２第３項に規定する要件を満たしていない。
第９　むすび
　以上のとおり、本願発明は、特許法第２９条第１項第３号の規定により特許を受けることができないから、他の請求項に係る発明について検討するまでもなく、本願は拒絶されるべきものである。
　よって、結論のとおり審決する。